(57)【特許請求の範囲】
【請求項１】
溝又は断続した穴からなる１つ又は複数の折り目を設けて複数の素体に区分けした板状の絶縁体に１本の連続した抵抗線を巻き付けた上、前記１つの折り目が設けられた前記絶縁体を二つ折りに或いは複数の折り目が設けられた前記絶縁体を葛折りに折畳んで複数の前記素体に分離しつつ、前記各素体の間に板状の絶縁体を挟み込んでなる多層型抵抗体において、
隣接する前記素体の間の山折り側を渡るようにして前記抵抗線が係入される溝を、隣接する前記素体の角部にそれぞれ前記折り目方向に並設したことを特徴とする多層型抵抗体。
【発明の詳細な説明】
【０００１】
【発明の属する技術分野】
本発明は、モータ，その他の電気機器のインバータ制御に使用する多層型抵抗体に関するものである。
【０００２】
【従来の技術】
近年、電力用抵抗器は、モータ，その他の電気機器のインバータ制御化に伴い、大半が瞬時過負荷入力となったため、外形によるヒートマスを大きく取る必要はなくなったが、瞬時過負荷を吸収するための抵抗線質量（重量）を大きく取る必要がある。
【０００３】
図６は従来の抵抗体の構成を示す正面図で、１は所望の抵抗値に応じた長さの抵抗線２を巻き付けたマイカ板、３はそれぞれマイカ板１に巻き付けた抵抗線２の両端とリード線４とを接続する２つの接続端子で、この２つの接続端子３はマイカ板１に取り付けられる。
【０００４】
このように構成された従来の抵抗体において、マイカ板１の寸法（面積）は、マイカ板１への抵抗線２の巻き面積によってほぼ決定されるが、抵抗線２の質量を大きくしようとすると、抵抗線２の巻き面積が大きくなって、マイカ板１の寸法も大きくする必要が生じる。
【０００５】
このため、このような構成の従来の抵抗体では、モータ，その他の電気機器のインバータ制御化に伴う電子部品の増加及び実装密度の向上に伴う抵抗体の小型化及び小面積化という課題に適応できない。
【０００６】
そこで、この課題に適応させるため、次のような技術が開発された。
【０００７】
図７は従来の改良された抵抗体の構成を示す正面図で、１はそれぞれ切欠き５を開設した第１素体１１と第２素体１２とからなるマイカ板、２は第１素体１１及び第２素体１２にそれぞれ巻き付けた所望の抵抗値に応じた長さの半分の抵抗線、３は第１素体１１と第２素体１２とにそれぞれ取り付けた接続端子で、第１素体１１及び第２素体１２にそれぞれ巻き付けた抵抗線２はその一端がリード線４と共に接続端子３に接続され、その他端２ａが第１素体１１及び第２素体１２の切欠き５から覗くように配設されている。
【０００８】
このように構成された従来の改良された抵抗体は、図において、リード線４を同一方向に引き出した状態で、第１素体１１と第２素体１２との図中裏面との間に、マイカ板（図示しない）を挟み込んだ上、第１素体１１と第２素体１２との切欠き５から覗く抵抗線２の他端２ａを電流溶接により接続する。
【０００９】
この結果、従来の改良された抵抗体の寸法を、従来の抵抗体の半分にすることができる。
【００１０】
【発明が解決しようとする課題】
しかしながら、従来の改良された抵抗体によると、マイカ板１の形成作業，マイカ板１への抵抗線２の巻付け作業，接続端子３の取付け作業及び抵抗線２及びリード線４の接続端子への接続作業は、マイカ板１を互いに分離形成してなる第１素体１１及び第２素体１２に対して個別に行わなければならない上、第１素体１１と第２素体１２との抵抗線２の他端２ａの溶接作業を行わなければならないため、作業工数及び部品点数が増加するという課題を生じた。
【００１１】
又、第１素体１１と第２素体１２との抵抗線２の他端２ａの溶接部の溶接状態によって、所望の抵抗値の抵抗体が得られなかったり、抵抗線２が断線したりして、抵抗体の歩留りが低下するのを防止するため、抵抗線溶接工程の管理を行わなければならないという課題を生じていた。
【００１２】
本発明は、このような課題を解決するために、面積が小さい抵抗体を簡単に製造できるのみならず、抵抗体の製造原価を低減できると共に、抵抗体の信頼性を向上させることができる多層型抵抗体を提供することを目的とするものである。
【００１３】
【課題を解決するための手段】
請求項１に係る発明は、溝又は断続した穴からなる１つ又は複数の折り目を設けて複数の素体に区分けした板状の絶縁体に１本の連続した抵抗線を巻き付けた上、前記１つの折り目が設けられた前記絶縁体を二つ折りに或いは複数の折り目が設けられた前記絶縁体を葛折りに折畳んで複数の前記素体に分離しつつ、前記各素体の間に板状の絶縁体を挟み込んでなる多層型抵抗体において、隣接する前記素体の間の山折り側を渡るようにして前記抵抗線が係入される溝を、隣接する前記素体の角部にそれぞれ前記折り目方向に並設したもので、このような構成にしたことにより、１本の抵抗線を１つの板状の絶縁体に単に巻き付ける作業だけで、面積が小さい抵抗体を簡単に製造できるのみならず、抵抗体の製造原価を低減できると共に、抵抗体の信頼性を向上させることができる。
【００１７】
【発明の実施の形態】
以下、本発明の実施形態について、図面を参照しながら詳細に説明する。
【００１８】
図１は本発明の第１の実施の形態における多層型抵抗体の正面図、図２の（ａ）は本発明の第１の実施の形態における多層型抵抗体を葛折りした状態における平面図、（ｂ）は図１の破線で囲んだ部分Ａの拡大図である。
【００１９】
１は断続した穴からなる折り目５を３本設けて第１素体１１，第２素体１２，第３素体１３及び第４素体１４に区分けした四つ折り型のマイカ板、２は、第１素体１１に巻き付けて第１素体１１の角部１１ｂに設けた溝１５に係入し、第１素体１１と第２素体１２との間の折り目５を図中表側（山折り側）に渡した上、第２素体１２の角部１２ｂに設けた溝１５に係入し、又、第２素体１２に巻き付けて第２素体１２の角部１２ｂに設けた溝１５に係入し、第２素体１２と第３素体１３との間の折り目５を図中裏側（山折り側）に渡した上、第３素体１３の角部１３ｂに設けた溝１５に係入し、更に、第３素体１３に巻き付けて第３素体１３の角部１３ｂに設けた溝１５に係入し、第３素体１３と第４素体１４との間の折り目５を図中表側（山折り側）に渡した上、第４素体１４の角部１４ｂに設けた溝１５に係入し、更に、第４素体１４に順次巻き付けた１本の連続した抵抗線、３は第１素体１１と第４素体１４とに取り付けた接続端子で、一方の接続端子３には抵抗線２の一端とリード線４とを、他方の接続端子３には抵抗線２の他端とリード線４とをそれぞれ接続する。
【００２０】
このように構成された多層型抵抗体は、抵抗線２が２つの素体の外側で折り曲がるように、第１素体１１と第２素体１２との間の折り目５で図中山折りにし、第２素体１２と第３素体１３との間の折り目５で図中谷折りにし、第３素体１３と第４素体１４との間の折り目５で図中山折りにして、各素体１１，１２，１３及び１４を葛折りに折り畳みつつ、第１素体１１と第２素体１２との間、第２素体１２と第３素体１３との間及び第３素体１３と第４素体１４との間にそれぞれマイカ板６を挟み込んで、抵抗体を形成する〔図２(ａ)参照〕。
【００２１】
このとき、折り目５が破断して、各素体１１，１２，１３及び１４は分離されるが、分離された各素体１１，１２，１３及び１４は、溝１５に係入された状態で折り目５を渡る抵抗線２によって連結されているため、各素体１１，１２，１３及び１４は葛折りの状態を保持する〔図２(ａ)参照〕。
【００２２】
なお、抵抗線２が第１素体１１と第２素体１２との間、第２素体１２と第３素体１３との間及び第３素体１３と第４素体１４との間の折り目５を渡る部分に、折り目５と直角方向の切込み幅Ｗ１がマイカ板６の厚さの２倍以上の切込み５ａを設ける（但し、抵抗線２が折り目５を渡る部分以外の切込み５ａの切込み幅は、この条件に限定されるものではない）〔図２(ｂ)参照〕ことにより、各素体１１，１２，１３及び１４の間にマイカ板６を挟み込んだ状態で、各素体１１，１２，１３及び１４を折り畳んでも、抵抗線２の折り目５の渡り部分が引っ張られて、変形することがなくなるため、抵抗体の抵抗値は変化しない。
【００２３】
この結果、各素体１１，１２，１３及び１４を葛折りすることにより、抵抗体の面積を小さくすることができるだけでなく、１つのマイカ板１に１本の抵抗線２を巻き付けるだけですむようになるため、作業工数及び部品点数が削減される上、抵抗線２の溶接作業が必要なくなって、所望の抵抗値の抵抗体が確実に製造できるようになり、抵抗体の歩留りが向上すると共に、抵抗線溶接工程の管理が必要なくなる。
【００２４】
即ち、本発明の第１の実施の形態によれば、面積が小さい抵抗体を簡単に製造できるのみならず、抵抗体の製造原価を低減できると共に、抵抗体の信頼性を向上させることができる。
【００２５】
なお、この抵抗体をパッケージ（図示しない）に収納するときには、図２（ａ）に示したように、葛折りした各素体１１，１２，１３及び１４を第１素体１１と第４素体１４との外側からマイカ板７で覆う。
【００２６】
又、本発明の第１の実施の形態におけるマイカ板１，６及び７は板状の絶縁体であれば、特に材質を問わない。
【００２７】
更に、折り目５には、断続した穴の代わりに、溝を設けてもよい。
【００２８】
更に、本発明の第１の実施の形態において、第１素体１１，第２素体１２，第３素体１３及び第４素体１４に巻き付けた抵抗線２がずれるのを防止するために、第１素体１１，第２素体１２，第３素体１３及び第４素体１４に絶縁塗料等を塗布してもよい。
【００２９】
更に、図１に示すように、第２素体１２の角部１２ｂと第３素体１３の角部１３ｂのように、折り目５と並行の角部端部間の幅Ｗ３を、素体に抵抗線２を巻き付ける領域の端部１１ａ，１２ａ，１３ａ，１４ａの間の幅Ｗ２よりも広く形成して、折り目５に並行する突起１０を設けたり、図２(ｂ)に示すように、第１素体１１の角部１１ｂに折り目５に並行させて突出させ、且つその先端部を隣接する第２素体１２の角部の上部まで折り目５を超えて突出させたＬ字状の突起１０を設けたりすることにより、抵抗線２とパッケージとの絶縁沿面距離を簡単に確保できると共に、各素体を葛折りに折り畳んだ抵抗体がパッケージの所定の位置にガタツキなく収納できる。
【００３０】
又、２つの隣接する一方の素体の角部に折り目５を超えて突出する突起を設けると共に、他方の素体の角部に突起を納める凹みを設けても、この突起は前述の突起１０と同様の機能を果たす。
【００３１】
図３は本発明の第２の実施の形態における多層型抵抗体の正面図で、１は断続した穴からなる折り目５を１本設けて第１素体１１及び第２素体１２に区分けした二つ折り型のマイカ板、２は、第１素体１１に巻き付けて第１素体１１の角部１１ｂに設けた溝１５に係入し、第１素体１１と第２素体１２との間の折り目５を図中表側（山折り側）に渡した上、第２素体１２の角部１２ｂに設けた溝１５に係入し、又、第２素体１２に順次巻き付けた１本の連続した抵抗線、３は第１素体１１と第２素体１２とに取り付けた接続端子で、一方の接続端子３には抵抗線２の一端とリード線４とが、他方の接続端子３には抵抗線２の他端とリード線４とがそれぞれ接続される。
【００３２】
このように構成された多層型抵抗体は、抵抗体に要求される抵抗値に応じてマイカ板１に巻き付ける抵抗線２の長さが本発明の第１の実施の形態よりも短くなって、マイカ板１の長手方向の寸法が短くなったことに伴い、マイカ板１の素体の数を減少させたもので、本発明の第１の実施の形態の効果と同様の効果が得られる。
【００３３】
図４は本発明の第３の実施の形態における多層型抵抗体の正面図で、１は断続した穴からなる折り目５を２本設けて第１素体１１，第２素体１２及び第３素体１３に区分けした三つ折り型のマイカ板、２は、第１素体１１に巻き付けて第１素体１１の角部１１ｂに設けた溝１５に係入し、第１素体１１と第２素体１２との間の折り目５を図中表側（山折り側）に渡した上、第２素体１２の角部１２ｂに設けた溝１５に係入し、又、第２素体１２に巻き付けて第２素体１２の角部１２ｂに設けた溝１５に係入し、第２素体１２と第３素体１３との間の折り目５を図中裏側（山折り側）に渡した上、第３素体１３の角部１３ｂに設けた溝１５に係入し、更に、第３素体１３に順次巻き付けた１本の連続した抵抗線、３は第１素体１１と第３素体１３とに取り付けた接続端子で、一方の接続端子３には抵抗線２の一端とリード線４とが、他方の接続端子３には抵抗線２の他端とリード線４とがそれぞれ接続される。
【００３４】
このように構成された多層型抵抗体は、抵抗体に要求される抵抗値或いは寸法に応じてマイカ板１の長手方向の寸法を本発明の第１の実施の形態よりも長くした例で、本発明の第１の実施の形態の効果と同様の効果が得られる。
【００３５】
図５は本発明の第３の実施の形態における多層型抵抗体の他の実施例の正面図で、マイカ板１への抵抗線２の巻付け状態を本発明の第３の実施の形態よりも粗くすると共に、第１素体１１に中間タップ８を設けて、抵抗線２と中間リード線９とを中間タップ８で接続して、複数の抵抗値が得られるようにした点が、本発明の第３の実施の形態と相違するもので、それ以外は本発明の第３の実施の形態の効果と同様の効果が得られる。
【００３６】
【発明の効果】
以上説明したように、本発明によれば、面積が小さい抵抗体を簡単に製造できるのみならず、抵抗体の製造原価を低減できると共に、抵抗体の信頼性を向上させることができる。
【図面の簡単な説明】
【図１】本発明の第１の実施の形態における多層型抵抗体の正面図
【図２】（ａ）は本発明の第１の実施の形態における多層型抵抗体を葛折りした状態における平面図、（ｂ）は図１の破線で囲んだ部分Ａの拡大図
【図３】本発明の第２の実施の形態における多層型抵抗体の正面図
【図４】本発明の第３の実施の形態における多層型抵抗体の正面図
【図５】本発明の第３の実施の形態における多層型抵抗体の他の実施例の正面図
【図６】従来の抵抗体の構成を示す正面図
【図７】従来の改良された抵抗体の構成を示す正面図
【符号の説明】
１，６，７  マイカ板
２  抵抗線
３  接続端子
４  リード線
５  折り目
５ａ  切込み
８  中間タップ
９  中間リード線
１０  突起
１１  第１素体
１２  第２素体
１３  第３素体
１４  第４素体
１１ａ，１２ａ，１３ａ，１４ａ  端部
１１ｂ，１２ｂ，１３ｂ，１４ｂ  角部
１５  溝
【図１】
0004102586.tif 000002
【図２】
0004102586.tif 000003
【図３】
0004102586.tif 000004
【図４】
0004102586.tif 000005
【図５】
0004102586.tif 000006
【図６】
0004102586.tif 000007
【図７】
0004102586.tif 000008